(57)【要約】【課題】地震力によって建物に生じる震動を制振壁によって確実に制振できる制振壁の連結構造を提供する。【解決手段】アンカー６の上端部に、制振壁パネル１１を床３から上方に離間させた状態でアンカー６に連結する連結手段８が設けられおり、この連結手段８は、制振壁パネル１１を下方から支持する支持部材１５と、制振壁パネル１１を支持部材１５に固定する固定部材（ナット）１８とを備えているので、制振壁パネル１１は床３から上方に離間している。したがって、地震の際に制振壁パネル１１が床３にめり込むのを防止でき、よって、建物に生じる震動を制振壁パネル１１によって確実に制振できる。【選択図】図４
2006299788.tif 000002
【特許請求の範囲】
【請求項１】
基礎上に床が設置され、前記基礎から突出するアンカーが前記床を貫通しており、このアンカーに制振壁が連結された制振壁の連結構造であって、
前記アンカーの上端部には、前記制振壁を前記床から上方に離間させた状態で前記アンカーに連結する連結手段が設けられていることを特徴とする制振壁の連結構造。
【請求項２】
請求項１に記載の制振壁の連結構造において、
前記連結手段は、前記アンカーの上端部に前記床と接しない状態で固定されて、前記制振壁を下方から支持する支持部材と、この支持部材に設置された制振壁の下端部に挿入されたアンカーに設けられて、前記制振壁を前記支持部材に固定する固定部材とを備えていることを特徴とする制振壁の連結構造。
【請求項３】
請求項２に記載の制振壁の連結構造において、
前記支持部材は、前記床の上面に形成された凹所に配置されていることを特徴とする制振壁の連結構造。
【請求項４】
請求項１に記載の制振壁の連結構造において、
前記制振壁の下端部には連結室が設けられており、
前記連結手段は、前記連結室に設置されるとともに、この連結室に挿入された前記アンカーが下端部に螺合する高ナットと、この高ナットの上端部に螺合されて前記連結室の上壁に当接可能なボルトとを備えていることを特徴とする制振壁の連結構造。
【請求項５】
請求項４に記載の制振壁の連結構造において、
前記アンカーは連結室の床部に形成された孔を貫通することによって前記連結室内に挿入されており、前記孔は前記制振壁の表面に開口していることを特徴とする制振壁の連結構造。
【請求項６】
請求項１〜５のいずれか一項に記載の制振壁の連結構造において、
前記アンカーに連結された制振壁上には上階床が設置され、前記制振壁の上方には前記上階床を挟んで、上階制振壁が設けられており、この上階制振壁と前記制振壁とが前記上階床を貫通する軸状部材によって連結されており、
この軸状部材の上端部には、前記上階制振壁を前記上階床から上方に離間させた状態で前記軸状部材に連結する連結手段が設けられていることを特徴とする制振壁の連結構造。
【発明の詳細な説明】
【技術分野】
【０００１】
本発明は、基礎から突出するアンカーに制振壁を連結する制振壁の連結構造に関する。
【背景技術】
【０００２】
住宅等の建物の制振構造の一例として特許文献１に記載のものが知られている。この特許文献１に記載の制振構造では、基礎上に配設されている軸組に耐力壁が含まれており、この耐力壁 にはブレースが組み込まれており、この耐力壁が外周をはじめ建物全体にバランス良く配置されている。耐力壁は、Ｃ型形鋼を溶接したフレームに、ブレースをＸ字型に組み入れた構成になっている。そして耐力壁に地震などにより強い力が働いた場合、耐力壁に組み入れられたブレースにより、その力に対抗するものである。
また、このような耐力壁は基礎上に設置固定され、該基礎から突出するアンカーに連結されている。
【特許文献１】特開２００１−１４０３４４号公報
【発明の開示】
【発明が解決しようとする課題】
【０００３】
ところで、前記耐力壁の代わりに、制振装置が組み込まれた制振壁パネルを建物全体にバランスよく配置することによって、地震力によって建物に発生する震動を制振することが考えられる。
前記制振壁パネルは、基礎上に敷き込まれた床上に立設するとともに、基礎から突出して床を貫通するアンカーに連結されている。したがって、地震力によって建物に生じる震動を制振壁パネルによって制振する場合、制振壁パネルが床に当接しているので、地震の際に制振壁パネルが床にめり込んでしまって、制振機能を十分に発揮できなくなるというおそれがある。
【０００４】
本発明は上記事情に鑑みてなされたもので、地震力によって建物に生じる震動を制振壁によって確実に制振できる制振壁の連結構造を提供することを課題としている。
【課題を解決するための手段】
【０００５】
上記課題を解決するために、請求項１に記載の発明は、例えば図１〜図４に示すように、基礎１上に床３が設置され、前記基礎１から突出するアンカー（アンカーボルト）６が前記床３を貫通しており、このアンカー６に制振壁（制振壁パネル）１１が連結された制振壁の連結構造であって、
前記アンカー６の上端部には、前記制振壁１１を前記床３から上方に離間させた状態で前記アンカー６に連結する連結手段８が設けられていることを特徴とする。
【０００６】
請求項１に記載の発明によれば、基礎１から突出するアンカー６の上端部に、制振壁１１を前記床３から上方に離間させた状態で前記アンカー６に連結する連結手段８が設けられているので、地震力によって建物に生じる震動を制振壁１１によって制振する場合、この制振壁１１は床３から上方に離間しているので、地震の際に制振壁１１が床３にめり込むのを防止でき、よって、建物に生じる震動を制振壁１１によって確実に制振できる。
【０００７】
請求項２に記載の発明は、請求項１に記載の制振壁の連結構造において、
前記連結手段８は、前記アンカー６の上端部に前記床３と接しない状態で固定されて、前記制振壁１１を下方から支持する支持部材１５と、この支持部材１５に設置された制振壁１１の下端部に挿入されたアンカー６に設けられて、前記制振壁１１を前記支持部材１５に固定する固定部材（ナット）１８とを備えていることを特徴とする。
【０００８】
ここで、支持部材１５をアンカー６の上端部に固定する場合、アンカー６の上端部に雄ねじ６ａを形成するとともに、支持部材１５にねじ穴を形成し、このねじ穴を雄ねじ６ａに螺合して固定してもよいし、その他、溶接や接着によって固定してもよい。
また、支持部材１５を床３と接しない状態でアンカー６の上端部に固定する場合、支持部材１５を床３の上方でアンカー６に固定してもよいし、床３に座掘り等の凹３ａ所を形成しておき、この凹所３ｃに支持部材１５を凹所３ｃの内壁に接しないようにしてアンカー６に固定してもよい。
【０００９】
請求項２に記載の発明によれば、アンカー６の上端部に床３と接しない状態で固定された支持部材１５によって制振壁１１が下方から支持されており、この制振壁１１は固定部材１８によって支持部材１５に固定されているので、制振壁１１は床３から上方に離間した状態でアンカー６に固定されている。したがって、地震の際に制振壁１１が床３にめり込むのを防止できるので、建物に生じる震動を制振壁１１によって確実に制振できる。
【００１０】
請求項３に記載の発明は、例えば図７に示すように、請求項２に記載の制振壁の連結構造において、
前記支持部材１５は、前記床３の上面に形成された凹所３ｃに配置されていることを特徴とする。
【００１１】
請求項３に記載の発明によれば、制振壁１１を下方から支持する支持部材１５が床３の上面の凹所３ｃに配置されているので、支持部材１５が露出するのを防止できるとともに、制振壁１１と床３との間の隙間を狭くできる。
【００１２】
請求項４に記載の発明は、例えば図８に示すように、請求項１に記載の制振壁の連結構造において、
前記制振壁１１の下端部には連結室１４ａが設けられており、
前記連結手段８は、前記連結室１４ａに設置されるとともに、この連結室１４ａに挿入された前記アンカー６が下端部に螺合する高ナット３６と、この高ナット３６の上端部に螺合されて前記連結室１４ａの上壁に当接可能なボルト４０とを備えていることを特徴とする。
【００１３】
請求項４に記載の発明によれば、制振壁１１の下端部の連結室１４ａに設置された高ナット３６の下端部に、アンカー６の上端部が螺合しており、この高ナット３６の上端部に螺合するボルト４０を連結室１４ａの上壁部に当接することによって、高ナット３６を連結室１４ａ内で固定することができる。
したがって、制振壁１１を床３から上方に離間した状態でアンカー６に固定することができるので、地震の際に制振壁１１が床３にめり込むのを防止でき、よって、建物に生じる震動を制振壁１１によって確実に制振できる。
また、高ナット３６へのボルト４０のねじ込み長さを調整することによって、高ナット３６の高さを調整でき、これによって、制振壁１１の高さ、つまり、制振壁１１の床３からの離間距離を容易に調整できる。
【００１４】
請求項５に記載の発明は、例えば図９に示すように、請求項４に記載の制振壁の連結構造において、
前記アンカー６は連結室１４ａの床部に形成された孔４１を貫通することによって前記連結室１４ａ内に挿入されており、前記孔４１は前記制振壁１１の表面に開口していることを特徴とする。
【００１５】
請求項５に記載の発明によれば、アンカー６を相対的に孔４１の下方から上方に向けて挿通しなくても、制振壁１１の表面に開口している孔４１の側部からアンカー６を相対的に水平に挿入することによって、該アンカー６の上端部を連結室１４ａ内に挿入できるので、制振壁１１を床３上に建て込んだ後でも、該制振壁１１を水平移動させることによって、アンカー６の上端部を連結室１４ａ内に挿入できる。
【００１６】
請求項６に記載の発明は、例えば図１０および図１１に示すように、請求項１〜５のいずれか一項に記載の制振壁の連結構造において、
前記アンカー６に連結された制振壁（制振壁パネル）１１上には上階床４３が設置され、前記制振壁１１の上方には前記上階床４３を挟んで、上階制振壁（上階制振壁パネル）４５が設けられており、この上階制振壁４５と前記制振壁１１とが前記上階床４３を貫通する軸状部材（胴差ボルト）４８によって連結されており、
この軸状部材４８の上端部には、前記上階制振壁４５を前記上階床４３から上方に離間させた状態で前記軸状部材４８に連結する連結手段５０が設けられていることを特徴とする。
【００１７】
請求項６に記載の発明によれば、上階制振壁４５と制振壁１１とを連結する軸状部材４８の上端部に、上階制振壁４５を前記上階床４３から上方に離間させた状態で前記軸状部材４８に連結する連結手段５０が設けられているので、地震力によって建物に生じる震動を上階制振壁４５によって制振する場合、この上階制振壁４５は上階床４３から上方に離間しているので、地震の際に上階制振壁４５が上階床４３にめり込むのを防止でき、よって、建物に生じる震動を上階制振壁４５によっても確実に制振できる。
また、上階制振壁４５と制振壁１１とが軸状部材４８によって連結されているので、地震力によって建物に生じる震動を、上階と下階とで効率よく制振できる。
【発明の効果】
【００１８】
本発明によれば、基礎から突出するアンカーの上端部に、制振壁を前記床から上方に離間させた状態で前記アンカーに連結する連結手段が設けられているので、地震力によって建物に生じる震動を制振壁によって制振する場合、この制振壁は床から上方に離間しているので、地震の際に制振壁が床にめり込むのを防止でき、よって、建物に生じる震動を制振壁によって確実に制振できる。
【発明を実施するための最良の形態】
【００１９】
以下、図面を参照して本発明の実施の形態について説明する。
（第１の実施の形態）
図１は、第１の実施の形態を示すもので、基礎構造の断面図である。第１図において符号１は、基礎を示す。この基礎１は断面Ｔ字形をなす布基礎であり、フーチング部１ａと立上り部１ｂとから構成されている。立上り部１ｂは地盤面Ｇから上方に突出しており、その上端面には台輪２が設けられている。この台輪２に床３が敷設されており、該床３は台輪２を介して基礎１によって下方から支持されている。床３は複数の床パネル４を水平方向に連結することによって構成されており、基礎１の上端面において隣り合う床パネル４，４が連結されている。床パネル４は、框材４ａを矩形枠状に組み立てるとともに、この矩形枠の内側に補強桟材を縦横に組み付け、さらに、矩形枠の上面に合板等からなる面材４ｂを取り付けてなるものである。
【００２０】
前記基礎１の内部には基礎鉄筋５が埋設されている。この基礎鉄筋５は、Ｔ字形状に配置された鉄筋５ａを紙面と直交する方向に所定間隔で配置するとともに、これら鉄筋５ａを上端筋５ｂ、下端筋５ｃ、配力筋５ｄとによって連結してなるものである。なお、この連結は溶接や番線等によって結束することによって行われている。
【００２１】
また、前記基礎１の内部には、アンカーボルト（アンカー）６が上下に向けて設けられており、このアンカーボルト６の上端部は基礎１から上方に突出しており、該アンカーボルト６の下端部にはナット７が螺合されている。このナット７はアンカーボルト６の引き抜き強度を所定値以上に確保するためのものである。
さらに、アンカーボルト６の上端部には、図１および図２に示すように、張出部１０が設けられている。この張出部１０はアンカーボルト６から外側に張り出す断面Ｌ字形のプレートであり、水平板部１０ａと垂直板部１０ｂとによって構成されており、これら水平板部１０ａと垂直板部１０ｂとは直角に一体的に形成されている。水平板部１０ａの中央部にはねじ穴１０ｃが形成されており、このねじ穴１０ｃをアンカーボルト６の上端部に形成されている雄ねじ６ａに螺合させることによって、張出部１０がアンカーボルト６の上端部に取り付けられている。
また、張出部１０はその水平板部１０ａの上面が、基礎１の上端面と面一になるようにして配置されており、水平板部１０ａの端部は基礎１の立上り部１ｂの側面とほぼ面一となっている。
さらに、張出部１０の垂直板部１０ｂは、基礎鉄筋５の上端筋５ｂに向けて垂設されており、該垂直板部１０ｂの下端部が上端筋５ｂに当接され、溶接や番線等の結束によって該上端筋５ｂに固定されている。
【００２２】
このような構成の基礎構造を備えた基礎１は、基礎１の外形を形成するような、図示しない型枠を設置するとともに、この型枠内に基礎鉄筋５を配筋するとともに、アンカーボルト６をその上端部が型枠から突出するように、かつ、張出部１０の水平板部１０ａの上面が型枠の上端面と面一になるようにして配筋したうえで、型枠内にコンクリートを打設し、養生後に脱型することによって築造される。張出部１０の水平板部１０ａの下面が基礎１の上端面に当接しているので、コンクリートが硬化すると、アンカーボルト６に作用する圧縮力を基礎１に伝えることができる。
【００２３】
上記のようにして築造された基礎１上には、床３が設置され、前記基礎１から突出するアンカーボルト６が床３を貫通しており、このアンカーボルト６に制振壁を構成する制振壁パネル１１が連結されている。この連結は、制振パネル１１の下端部において、左右両側で行われている。
制振壁パネル１１は建築用の壁パネル１２と、この壁パネル１２に形成された開口部１２ｄに取り付けられた制振装置１３とを備えている。壁パネル１２は上下に間隔をおいて設けられた小壁パネル１２ａ、腰壁パネル１２ｂと、これらパネル１２ａ，１２ｂを連結する柱状の結合材１２ｃ，１２ｃとを備えて構成されている。
【００２４】
また、前記アンカーボルト６の上端部には、制振壁パネル１１を床３から上方に離間させた状態でアンカーボルト６に連結する連結手段８が設けられている。
すなわち、前記結合材１２ｃの下端部には、鋼製の連結金具１４が取り付けられている。この連結金具１４は、図４に示すように、矩形状の連結室１４ａを有しており、この連結室１４ａに、前記アンカーボルト６の上端部が下方から連結金具１４の下壁部を貫通して挿入されている。
【００２５】
前記アンカーボルト６の上端部には、支持部材１５が設けられている。この支持部材１５は鋼製の円板状のプレートであり、その中央部にはねじ穴１５ａが形成されている。そして、支持部材１５はそのねじ穴１５ａをアンカーボルト６の雄ねじ６ａに螺合することによって、アンカーボルト６の上端部に固定されている。この状態において支持部材１５と床３との間には若干の隙間Ｓが設けられている。そして、この支持部材１５に前記連結金具１４が設置されることによって、支持部材１５によって制振壁パネル１１が下方から支持されており、該制振壁パネル１１は床３から上方に離間した状態となっている。
また、前記連結室１４ａに挿入されたアンカーボルト６には、座金１６、ばね座金１７が外挿されたうえで、ナット（固定部材）１８が螺合している。そして、このナット１８を締め付けることによって、連結金具１４が支持部材１５に固定され、これによって制振壁パネル１１が支持部材１５に固定されている。したがって、制振壁パネル１１は、アンカーボルト６の上端部に、該制振壁パネル１１を床３から上方に離間させた状態で連結されている。
なお、制振壁パネル１１の上端部は上階の床の下面に当接され、複数のガセット１９によって床に結合されている。
【００２６】
前記制振壁パネル１１の制振装置１３は、以下のように構成されている。
すなわち、図３および図５に示すように、制振装置１３はフレーム２２と、このフレーム２２に対向して設けられた一対の支持部２３，２３と、この支持部２３，２３によって支持された振り子部材２４と、前記フレーム２２に取り付けられた制振ボックス２５とを備えている。
【００２７】
前記支持部２３は、図６に示すように、２枚の支持板２３ａ，２３ａを備えている。支持板２３ａは、略二等辺三角形状に形成されており、その頂部と対向する辺を上下に向け、かつ、頂部を内側に向けて配置されている。支持板２３ａは、略二等辺三角形状に形成されているので、その長手方向（上下方向）中央部が端部側より幅広に形成されている。したがって、２枚の支持板２３ａ，２３ａで構成された支持部３もその長手方向（上下方向）中央部が端部側より幅広に形成されている。さらに、一対の支持部２３，２３は、それぞれの頂部を振り子部材２４の中央部において対向させて設けられている。
【００２８】
また、前記一対の支持部２３，２３の長手方向中央部すなわち対向する頂部によって振り子部材２４の長手方向中央部が支持されており、この振り子部材２４は、震動によって一対の支持部２３，２３が変位した場合に、該一対の支持部２３，２３間の略中央部を中心として振れるように構成されている。
すなわち、振り子部材２４は板状でかつ略菱形状に形成されており、長手方向を上下に向けて配置されている。振り子部材２４の中央部の左半分は、一方の支持部２３の支持板２３ａ，２３ａ間に挟まれており、右半分は他方の支持部３の支持板２３ａ，２３ａ間に挟まれている。
また、一方の支持部２３の支持板２３ａ，２３ａの頂部には孔が形成されており、他方の支持部２３の支持板２３ａ，２３ａの頂部にも孔が形成されている。一方、振り子部材２４の中央部には、左右に離間して孔が形成されており、これら孔のうち左側の孔２４ａは左右に長い長孔となっている。
【００２９】
そして、一方の支持部の支持板２３ａ，２３ａに形成された孔と、振り子部材２４の中央部に形成された一方の長孔とには、軸３０が振り子部材２４を回転可能とするように、かつ、長穴の長さ方向に摺動可能となるように挿通されている。また、他方の支持部２３の支持板２３ａ，２３ａに形成された孔と、振り子部材２４の中央部に形成された他方の孔とには、軸３０が振り子部材４を回転可能とするように挿通されている。
これによって、振り子部材２４は、一対の支持部２３，２３によって軸３０，３０を介して支持されており、この振り子部材２４は、震動によって一対の支持部２３，２３が変位した場合に、該一対の支持部２３，２３間の略中央部、言い換えれば、軸３０，３０間の中央部を中心として振れるように構成されている。
【００３０】
また、前記フレーム２２には、制振ボックス２５が前記振り子部材２４の端部に対向して取り付けられている。
制振ボックス２５内には、一対の制振ゴム（制振部材）２６，２６と、これら制振ゴム２６，２６間に挿入されかつ該一対の制振ゴム２６，２６に固着されたプレート２７とが設けられている。プレート２７の一端部（上端部）は、ボックス２５より上方に突出しており、この突出した部分が、プレート２８を介して振り子部材２４の端部に連結されている。
【００３１】
上記のような制振壁パネル１１では、まず、この制振壁パネル１１を組み込んだ建物に地震等の横揺れ震動によって変形が生じると、制振壁パネル１１の矩形状のフレーム２２が略平行四辺形状に変形する。フレーム２２が略平行四辺形状に変形すると、一対の支持部２３，２３が斜め上下に互いに離間するようにして変位する。
一対の支持部２３，２３が変位することによって、振り子部材２４が一対の支持部２３，２３間の略中央部を中心として振り子のように振れ、この振り子部材２４の端部は振れが増幅され、これによって、前記一対の支持部２３，２３の変位が増幅される。
そして、振り子部材２４の端部と制振ボックス２５のプレート２７とが連結されており、この連結プレート２７は制振ゴム２６，２６間に挿入されかつ該一対の制振ゴム２６，２６に固着されているので、この制振ゴム２６，２６の変形を増幅できる。したがって、建物の小さな変形から制振機能を有効に働かせることができる。
また、制振ゴム２６，２６の変形速度も建物の変形速度より増幅することができるため、エネルギー吸収性能が変形速度に比例する粘弾性材料から形成された制振ゴムを用いる場合には、より効率的にエネルギーを吸収でき、大きな減衰力を発揮できる。
【００３２】
また、制振壁パネル１１が地震の震動によって変形すると、制振壁パネル１１の下端部にアンカーボルト６が連結されているので、このアンカーボルト６には、引張力や圧縮力が作用する。そして、このアンカーボルト６には、このアンカーボルト６から外側に張り出す張出部１０が設けられており、この張出部１０が基礎１の上端面に設置されているので、この張出部１０によって、制振壁パネル１１からアンカーボルト６に作用する圧縮力を基礎１に伝えることができる。
したがって、地震によって制振壁パネル１１が変形して、アンカーボルト６に圧縮力が作用した場合に、該圧縮力に十分耐えることができる。
また、アンカーボルト６の下端部にはナット７が設けられているので、このナット７によてアンカーボルト６の引き抜き力に耐えることができるが、前記張出部１０が断面Ｌ字型のプレートであり、このプレートの垂直板部１０ｂが基礎鉄筋５の上端筋５ｂに固定されているので、アンカーボルト６の引き抜き強度を向上させることができる。
さらに、この張出部１０が垂直板部１０ｂを有しているので、アンカーボルト６に地震等の際に横揺れが作用した際に、垂直板部１０ｂによってアンカーボルト６の倒れを防止できる。
【００３３】
さらに、アンカーボルト６の上端部に床３と接しない状態で固定された支持部材１５によって制振壁パネル１１が下方から支持されており、この制振壁パネル１１は固定部材（ナット）１８によって支持部材１５に固定されているので、制振壁パネル１１は床３から上パネル１１が床３にめり込むのを防止できるので、建物に生じる震動を制振壁パネル１１によって確実に制振できる。
【００３４】
なお、上記実施の形態では、支持部材１５は床３より上方に配置しているが、図７に示すように、床３の上面に凹所３ｃを形成し、この凹所３ｃに支持部材１５を配置してもよい。この場合、アンカーボルト６にナット３５を支持部材１５の下方で螺合し、該ナット３５を締め付けることによって、支持部材１５の緩みを防止してもよい。また、支持部材１５はナット３５と連結金具１４とによって挟み付けられて固定されているので、支持部材１５にはねじ穴１５ａを設けなくてもよい。
また、前記支持部材１５およびナット３５は、凹所３ｃの内壁面（側面と底面）に接しないようにして配置されている。
上記のように制振壁パネル１１を下方から支持する支持部材１５およびナット３５が床３の上面の凹所３ｃに配置されているので、支持部材１５およびナット３５が露出するのを防止できるとともに、制振壁パネル１１と床３との間の隙間を狭くできる。
【００３５】
（第２の実施の形態）
図８は、第２の実施の形態を示すもので、制振壁パネル１１と床３の連結部を示す断面図である。
この図に示すように、制振壁パネル１１を床３から上方に離間させた状態でアンカーボルト６に連結する連結手段８は以下のように構成されている。
すなわち、制振壁パネル１１の下端部には鋼製の連結金具１４が取り付けられており、この連結金具１４には連結室１４ａが設けられている。この連結室１４ａは制振壁パネル１１の表面側と裏面側に開口している。
【００３６】
連結室１４ａには、高ナット３６が設置されている。また、連結室１４ａにはアンカーボルト６の上端部が、連結室１４ａの底部に形成された貫通孔を通して下方から挿入されており、このアンカーボルト６の上端部は高ナット３６の下端部に螺合している。また、アンカーボルト６の上端部には、高ナット３６より下方位置で、ナット３７が螺合しているとともに、座金３８が外挿されている。座金３８が連結室１４の底部に当接しており、ナット３６は高ナット３６の下端面に当接している。
また、高ナット３６の上端部には、ボルト４０が螺合しており、このボルト４０の頭部４０ａは連結室１４ａの上壁に当接可能となっている。
【００３７】
そして、上記のような連結手段８では、高ナット３６の上端部に螺合しているボルト４０を軸回りに回転させることによって上方に移動させて、頭部４０ａを連結室１４ａの上壁部に当接する。これによって、高ナット３６を連結室１４ａで固定することができる。
この高ナット３６の下端部にはアンカーボルト６の上端部が螺合して固定されているので、制振壁パネル１１を床３から上方に離間した状態で連結金具１４を介してアンカーボルト６に固定することができるので、地震の際に制振壁パネル１１が床３にめり込むのを防止でき、よって、建物に生じる震動を制振壁パネル１１によって確実に制振できる。
また、高ナット３６へのボルト４０のねじ込み長さを調整することによって、高ナット３６の高さを調整でき、これによって、制振壁パネル１１の高さ、つまり、制振壁パネル１１の床３からの離間距離を容易に調整できる。
【００３８】
なお、本実施の形態では、アンカーボルト６の上端部を連結室１４ａに挿入する際に、連結室１４ａの床部に貫通孔を形成し、この貫通孔を通して下方から挿入したが、これに代えて、アンカーボルト６を横から挿入するようにしてもよい。
すなわち、図９に示すように、連結室１４ａの床部には、孔４１が形成されている。この孔４１は床部を上下に貫通するとともに、床部の中央部から連結室１４の開口部側、つまり制振壁パネル１１の表面側に向けて延在しており、この制振壁パネル１１の表面に開口している。
【００３９】
したがって、アンカーボルト６を相対的に孔４１の下方から上方に向けて挿通しなくても、制振壁パネル１１の表面に開口している孔４１の側部からアンカーボルト６を相対的に水平に挿入することによって、該アンカーボルト６の上端部を連結室１４ａ内に挿入できる。よって、制振壁パネル１１を床３上に建て込んだ後でも、該制振壁パネル１１を水平移動させることによって、アンカーボルト６の上端部を連結室１４ａ内に挿入でき、施工が容易となる。
【００４０】
図１０および図１１は第３の実施の形態を示すもので、図１０は、制振壁パネルと上階制振壁パネルを示す正面図、図１１は上階制振壁パネルの軸状部材への連結部を示す断面図である。
本実施の形態では、１階の制振壁パネル１１の上方に２階床（上階床）４３を挟んで上階制振壁パネル４５が設けられている。
２階床４３は、複数の床パネル４を水平方向に連結することによって構成されており、１階の壁パネルや１階の制振壁パネル１１の上端面において隣り合う床パネル４，４が連結されている。
【００４１】
図１１に示すように、１階の制振壁パネル１１の壁パネル１２の柱状の結合材１２ｃの上端部には、連結金具４６が取り付けられている。
この連結金具４６は、矩形状の連結室４６ａを有しており、この連結室４６ａの上壁面には、ナット４７が溶接によって固定されている。また、連結金具４６の上壁部には、ナット４７のねじ穴と同軸の貫通孔４６ｂが形成されている。
ナット４７には２階床４３を貫通する胴差ボルト（軸状部材）４８の下端部が螺合されており、さらに、この胴差ボルト４６の下端部には、ナット４７の下側においてナット４９が螺合されている。
【００４２】
一方、前記上階制振壁パネル４５は、図１０に示すように、１階の制振壁パネル１１と同様に、建築用の壁パネル１２と、この壁パネル１２に形成された開口部１２ｄに取り付けられた制振装置１３とを備えている。
壁パネル１２は上下に間隔をおいて設けられた小壁パネル１２ａ、腰壁パネル１２ｂと、これらパネル１２ａ，１２ｂを連結する柱状の結合材１２ｃ，１２ｃとを備えて構成されている。なお、上階制振壁パネル４５の制振装置１３は、１階の制振壁パネル１４の制振装置１３と同様の構造であるので、構成部材については同一符号を付してその説明を省略する。
【００４３】
また、前記胴差ボルト４８の上端部には、２階制振壁パネル４５を２階床４３から上方に離間させた状態で胴差ボルト４８に連結する連結手段５０が設けられている。
すなわち、図１１に示すように、上階制振壁パネル４５の結合材１２ｃの下端部には、鋼製の連結金具５４が取り付けられている。この連結金具５４は、矩形状の連結室５４ａを有しており、この連結室５４ａに、前記胴差ボルト４８の上端部が下方から連結金具５４の下壁部を貫通して挿入されている。
前記胴差ボルト４８の上端部には、支持部材５５が設けられている。この支持部材５５は鋼製の円板状のプレートであり、その中央部にはねじ穴５５ａが形成されている。そして、支持部材５５はそのねじ穴５５ａを胴差ボルト４８の雄ねじ４８ａに螺合することによって、胴差ボルト４８の上端部に固定されている。この状態において支持部材５５と２階床４３との間には若干の隙間Ｓが設けられている。そして、この支持部材５５に前記連結金具５４が設置されることによって、支持部材５５によって上階制振壁パネル４５が下方から支持されており、該２階制振壁パネル４５は床４３から上方に離間した状態となっている。
【００４４】
また、前記連結室５４ａに挿入された胴差ボルト４８には、座金５６、ばね座金５７が外挿されたうえで、ナット（固定部材）５８が螺合している。そして、このナット５８を締め付けることによって、連結金具５４が支持部材５５に固定され、これによって２階制振壁パネル４５が支持部材５５に固定されている。したがって、２階制振壁パネル４５は、胴差ボルト４８の上端部に、該２階制振壁パネル４５を２階床４３から上方に離間させた状態で連結されている。
なお、２階制振壁パネル４５の上端部は２階の梁の下面に当接され、複数のガセット１９によって床に結合されている。
【００４５】
本実施の形態によれば、上階制振壁パネル４５と１階の制振壁パネル１１とを連結する胴差ボルト４８の上端部に、上階制振壁パネル４５を２階床４３から上方に離間させた状態で胴差ボルト４８に連結する連結手段５０が設けられているので、地震力によって建物に生じる震動を上階制振壁パネル４５によって制振する場合、この上階制振壁パネル４５は２階床４３から上方に離間しているので、地震の際に上階制振壁パネル４５が２階床４３にめり込むのを防止でき、よって、建物に生じる震動を上階制振壁パネル４５によっても確実に制振できる。
また、上階制振壁パネル４５と１階の制振壁パネル１１とが胴差ボルト４８によって連結されているので、地震力によって建物に生じる震動を、上階と下階とで効率よく制振できる。
【００４６】
なお、本実施の形態では、上階制振壁パネル４５を上階床４３から上方に離間させた状態で胴差ボルト４８に連結する連結手段として、図１１に示す連結手段５０を採用したが、この他に、図７や図８に示す連結手段８と同様の構成を採用してもよい。
また、本実施の形態では、胴差ボルト４８の上端部を連結室５４ａに挿入する際に、連結室５４ａの床部に貫通孔を形成し、この貫通孔を通して下方から挿入したが、これに代えて、胴差ボルト４８を、図９に示すものと同様にして、横から挿入するようにしてもよい。
さらに、図１２に示すように、連結金具４６と上階床４３との間に、ナット５９を装入してこのナット５９を胴差ボルト４８に螺合し、さらに、この胴差ボルト４８の下端部に、座金６０、ばね座金６１を外挿したうえで、ナット６２を螺合し、このナット６２と前記ナット５９を締め付けることによって、前記胴差ボルト４８を連結金具４６に固定してもよい。また、ナット５９と上階床４３との間に隙間を設けてもよい。
【図面の簡単な説明】
【００４７】
【図１】本発明の第１の実施の形態を示すもので、基礎構造の断面図である。
【図２】同、アンカーボルトと張出部を示す斜視図である。
【図３】同、制振壁パネルを示す正面図である。
【図４】同、制振壁パネルのアンカーボルトへの連結部を示す断面図である。
【図５】同、制振装置を示す正面図である。
【図６】同、制振装置の支持部と振り子部材を示す斜視図である。
【図７】同、制振壁パネルのアンカーボルトへの連結部の変形例を示す断面図である。
【図８】本発明の第２の実施の形態を示すもので、制振壁パネルのアンカーボルトへの連結部を示す断面図である。
【図９】同、制振壁パネルにアンカーボルトを挿入する他の例を示す斜視図である。
【図１０】本発明の第３の実施の形態を示すもので、制振壁パネルと上階制振壁パネルを示す正面図である。
【図１１】同、制振壁パネルおよび上階制振壁パネルと軸状部材との連結部を示す断面図である。
【図１２】同、制振壁パネルおよび上階制振壁パネルと軸状部材との連結部を示す他の断面図である。
【符号の説明】
【００４８】
１  基礎
３  床
３ｃ  凹所
６  アンカーボルト（アンカー）
８  連結手段
１１  制振壁パネル（制振壁）
１３  制振装置
１４ａ  連結室
１５  支持部材
１８  ナット（固定部材）
２２  フレーム
２３  支持部
２４  振り子部材
２６  制振ゴム（制振部材）
３６  高ナット
４０  ボルト
４１  孔
４３  ２階床（上階床）
４５  上階制振壁パネル（上階制振壁）
４８  胴差ボルト（軸状部材）
５０  連結手段
【図１】
2006299788.tif 000003
【図２】
2006299788.tif 000004
【図３】
2006299788.tif 000005
【図４】
2006299788.tif 000006
【図５】
2006299788.tif 000007
【図６】
2006299788.tif 000008
【図７】
2006299788.tif 000009
【図８】
2006299788.tif 000010
【図９】
2006299788.tif 000011
【図１０】
2006299788.tif 000012
【図１１】
2006299788.tif 000013
【図１２】
2006299788.tif 000014